(57)【要約】      （修正有）【課題】メッセージを有するパチンコ球箱を能率良く製造する。【解決手段】パチンコ機に付随して使用され、パチンコ球を収容するパチンコ球箱１０であって、合成樹脂によって形成され上方に開口するとともに底板部２２及び各一対の第１壁板部２４ａ，第２壁板部２４ｂを有する箱本体２０と、一対の第１壁板部２４ａの外面に対して付されたメッセージ３０とを有し、メッセージ３０は、箱本体２０を成形するための型の内部にメッセージ３０が付されたフィルムが配設された状態で当該型の内部に溶融状態の合成樹脂が充填されて箱本体２０が成形されることによって、箱本体２０に対して付されたものである。【選択図】図１
2006043142.tif 000002
【特許請求の範囲】
【請求項１】
パチンコ機に付随して使用され、パチンコ球を収容するパチンコ球箱であって、
合成樹脂によって形成され上方に開口するとともに底板部及び壁板部を有する箱本体と、
前記箱本体の前記壁板部及び／又は底板部の外面に対して付されたメッセージとを有し、
前記メッセージは、前記箱本体を成形するための型の内部に当該メッセージが付されたフィルムが配設された状態で当該型の内部に溶融状態の合成樹脂が充填されて前記箱本体が成形されることによって、前記箱本体に対して付されたものである、
パチンコ球箱。
【発明の詳細な説明】
【技術分野】
【０００１】
本発明は、パチンコ機に付随して使用されるパチンコ球箱に関するものである。
【背景技術】
【０００２】
パチンコ機は遊技盤を有し、その下方には、発射操作部，球受け皿装置（上部受け皿装置，下部受け皿装置）が設けられている。遊技盤（そのうちの遊技領域）には入賞口が設けられている。
そして、遊技者が発射操作部を操作することによってパチンコ球が発射され、そのパチンコ球が入賞口に入った際に、賞球払い出し装置（遊技盤の裏側に設けられている）によって、パチンコ球が、賞球として、球受け皿装置（上部受け皿装置，下部受け皿装置）に対して払い出される。
【０００３】
そして、必要に応じて、パチンコ機に付随して、パチンコ球箱が使用される。
パチンコ球箱は、遊技者等によって、下部受け皿装置の下方に置かれる。そして、下部受け皿装置に対して設けられた開閉部材が操作されることによって、下部受け皿装置に貯められたパチンコ球が、下部受け皿装置から流出（落下）し、パチンコ球箱に収容される。
また、パチンコ機の上部受け皿装置に収容されているパチンコ球の数が少なくなった場合（なくなった場合を含む）には、遊技者によって、そのパチンコ球箱内のパチンコ球が、パチンコ機の上部受け皿装置に補充される。
【０００４】
パチンコ球箱は、例えば、次のような構造を有している。
そのパチンコ球箱は、合成樹脂によって形成され、上方に開口したほぼ直方体状の容器状をしている。すなわち、そのパチンコ球箱は、ほぼ長方形状の底板部と、４つの壁板部を有している。その壁板部等の外面（外側の面）に、そのパチンコホールの名称等のメッセージが予め表示されている。
【０００５】
そして、従来のパチンコ球箱では、そのメッセージは、箱本体が製造（成形）された後に、その壁板部等の外面に対して印刷によって付されたり、そのメッセージが付されたシールがその壁板部等の外面に貼着されて付されたりしている。
【０００６】
しかしながら、それでは、いずれも、製造の際に、箱本体を製造する工程と、メッセージを付する工程との２つの工程を必要とし、その製造の能率が良くない。
【発明の開示】
【発明が解決しようとする課題】
【０００７】
本発明は、メッセージを有するパチンコ球箱であって能率良く製造できるものを提供することを目的とする。
【課題を解決するための手段】
【０００８】
上記の目的を達成するために、請求項１に係る発明は、パチンコ機に付随して使用され、パチンコ球を収容するパチンコ球箱であって、合成樹脂によって形成され上方に開口するとともに底板部及び壁板部を有する箱本体と、前記箱本体の前記壁板部及び／又は底板部の外面に対して付されたメッセージとを有し、前記メッセージは、前記箱本体を成形するための型の内部に当該メッセージが付されたフィルムが配設された状態で当該型の内部に溶融状態の合成樹脂が充填されて前記箱本体が成形されることによって、前記箱本体に対して付されたものである、パチンコ球箱である。
【０００９】
上記の発明のパチンコ球箱では、箱本体を成形するための型の内部にメッセージが付されたフィルムが配設された状態で、その型の内部に溶融状態の合成樹脂が充填されて、箱本体が成形される。それと同時に、そのメッセージがその箱本体の壁板部及び／又は底板部の外面に対して付される。
このように、このパチンコ球箱では、箱本体を製造する工程とメッセージを付する工程との２工程を必要とせず、能率的に製造され得る。
【発明の効果】
【００１０】
以上のように、本発明のパチンコ球箱では、箱本体の製造とともに箱本体に対してメッセージを付することができ、能率的に製造することができる。
【発明を実施するための最良の形態】
【００１１】
次に、本発明の一実施形態について図面に基づいて説明する。
図１及び図２に示すように、このパチンコ球箱１０は、箱本体２０を有している。
図１等に示すように、箱本体２０は、合成樹脂によって形成され、上方に開口したほぼ直方体状の容器状をしている。
すなわち、箱本体２０は、底板部２２及び二対の壁板部（一対の第１壁板部２４ａ，一対の第２壁板部２４ｂ）を有している。
【００１２】
底板部２２は、ほぼ長方形状の板状をしており、一対の長辺部及び一対の短辺部（いずれも符号省略）を有している。４つの隅角部（符号省略）は、角（かど）が落とされ、円弧状とされている。
【００１３】
一対の第１壁板部２４ａは、底板部２２の各長辺部からほぼ鉛直上方に向かって延びている。一対の第２壁板部２４ｂは、底板部２２の各短辺部からほぼ鉛直上方に向かって延びている。
上述の４つの円弧状の隅角部に対応して、各一対の第１壁板部２４ａ及び第２壁板部２４ｂは滑らか相互に連なっており、その境界部分は円弧状断面を有している。
各第２壁板部２４ｂの上端部には、把持部２６が形成されている。把持部２６は、各第２壁板部２４ｂの上端部からほぼ水平に張り出すフランジ部２７に把持用長孔部２８が設けられて形成されている。
【００１４】
各第１壁板部２４ａの外面（外側の面）には、各々、メッセージ３０が付されている。
「メッセージ」としては、そのパチンコ機が設置（納入）されているパチンコホールの名称や、他社（スポンサー）の広告等である。
【００１５】
このパチンコ球箱１０は、図３に示すように、いわゆるインモールド成形によって製造される。
その成形には、固定型４１（金型）と可動型４２（金型）とを有する成形装置が使用される。可動型４２は、移動することによって、固定型４１に対して接近・離隔可能である。
固定型４１及び可動型４２のうちの各々相互に対向する部分には、型面５１，５２が形成されている。
図３（ｂ）に示すように、固定型４１に対して可動型４２が当接した状態（型締め状態）において両型面５１，５２によって形成されるキャビティ（符号省略）は、パチンコ球箱１０（箱本体２０）（図１等参照）の形状に対応している。すなわち、固定型４１の型面５１は、パチンコ球箱１０（箱本体２０）の内面（内側の面）に対応し、可動型４２の型面５２は、パチンコ球箱１０（箱本体２０）の外面（外側の面）に対応している。
【００１６】
図３に示すように、固定型４１には、樹脂供給装置４５が伴っている。樹脂供給装置４５は、管状の樹脂通路部４６に対して樹脂送出スクリュー４７が配設されて形成されている。そして、樹脂送出スクリュー４７が自身の軸回り方向に回転することによって、溶融状態の合成樹脂４０が送出され、その合成樹脂４０は、固定型４１の樹脂通路部４８を経てキャビティ内に供給される（図３（ｂ）参照）。
【００１７】
まず、図３（ａ）に示すように、可動型４２が固定型４１から離隔した状態で、フィルム６０が配設される。
フィルム６０は、底板部対応部６２及び一対の第１壁板部対応部６４ａを有している。それらは、箱本体２０（図１等参照）の底板部２２及び一対の第１壁板部２４ａ（それらの外面）に対応している。
フィルム６０のうちの各第１壁板部対応部６４ａには、各々、メッセージ３０が付されている（図３においては図示省略，図１等参照）。
フィルム６０は、可動型４２の型面５２のうちの底板部２２及び一対の壁板部２４ａ（いずれもその外面）に対応する部分に配設される。
なお、図面中においては、視覚的にわかりやすくするために、フィルム６０の厚さは誇張して示されている。
【００１８】
次に、図３（ｂ）に示すように、可動型４２が固定型４１に向かって移動し、固定型４１に対して当接して、型締めがされる。その状態で樹脂送出スクリュー４７が作動して、キャビティ内に溶融状態の合成樹脂４０が供給される。それによって、フィルム６０は、その合成樹脂４０に対して全面的に接触することとなる。
そして、所定の時間が経過することによって、キャビティ内の合成樹脂４０に対してフィルム６０が一体化した状態で、その合成樹脂４０が冷却固化する。
【００１９】
その後に、図３（ｃ）に示すように、可動型４２が固定型４１から離隔して型開きがされ、キャビティ内及び樹脂通路部４８内の冷却固化した合成樹脂４０が取り出され、余分な部分（樹脂通路部４８に対応する部分）が除去されることによって、パチンコ球箱１０が製造される。
【００２０】
すなわち、そのパチンコ球箱１０では、メッセージ３０が付されたフィルム６０が箱本体２０（その底板部２２及び一対の第１壁板部２４ａの外面）と一体化されており、図１及び図２に示すように、箱本体２０の各第１壁板部２４ａにメッセージ３０が付された状態とされている。
【００２１】
このように、この製造方法では、箱本体２０を成形するのと同時にメッセージ３０を箱本体２０に付することが可能であり、能率的にパチンコ球箱１０が製造される。
【００２２】
なお、上記のものはあくまで本発明の一実施形態にすぎず、当業者の知識に基づいて種々の変更を加えた態様で本発明を実施できることはもちろんである。
【００２３】
例えば、メッセージ（３０）は、箱本体２０の底板部２２や第２壁板部２４ｂの外面に対して付されてもよい。
また、箱本体２０の形状は、扁平な有底の楕円筒状等、種々のものが適用され得る。
【図面の簡単な説明】
【００２４】
【図１】本発明の一実施形態のパチンコ球箱を示す斜視図である。
【図２】本発明の一実施形態のパチンコ球箱を示す斜視図である。斜め下方から見た図である。
【図３】本発明の一実施形態のパチンコ球箱の製造工程を示す断面図である。
【符号の説明】
【００２５】
１０  パチンコ球箱
２０  箱本体
２２  底板部
２４ａ  第１壁板部（壁板部）
２４ｂ  第２壁板部（壁板部）
３０  メッセージ
４１  固定型（型）
４２  可動型（型）
６０  フィルム
【図１】
2006043142.tif 000003
【図２】
2006043142.tif 000004
【図３】
2006043142.tif 000005